(57)【要約】      （修正有）【課題】キャリアフレームと、シート部分と、前記シート部分の前端部領域内で上下に回動自在に取付けられる脚のせ部分と、前記シート部分又は前記キャリアフレームの後端部領域内で上下に回動自在に取付けられる背当て部分と、及び前記シート部分の高さを調整する高さ調整装置とを有し、高さと傾斜を独立に調整できる歯科医療治療用椅子を提供する。【解決手段】高さ調整装置１２は、キャリアフレーム２上に支承されてシート部分３を保持し、前記高さ調整装置と前記シート部分との間には、調整装置２４が配置され、前記調整装置は、前記シート部分を後方下方へ勾配をつけた傾斜部を有する傾斜位置に調整し、且つ、前記シート部分を戻すように調整し、そこにおいて、前記調整装置を、前記高さ調整装置から独立して作動できる。【選択図】図１
2006122688.tif 000002
【特許請求の範囲】
【請求項１】
キャリアフレーム（２）と、シート部分（３）と、前記シート部分（３）の前方端部領域内で上下に回動自在に取付けられる脚のせ部分（４）と、前記シート部分（３）又は前記キャリアフレーム（２）の後端部領域内で上下に回動自在に取付けられる背当て部分（７）と、前記シート部分（３）の高さを調整する高さ調整装置（１２）とを有する治療用椅子（１）、特に歯科医療治療用椅子であって、前記高さ調整装置（１２）は、キャリアフレーム（２）上に支承されてシート部分（３）を保持し、前記高さ調整装置（１２）と前記シート部分（３）との間には調整装置（２４）が配置され、前記調整装置（２４）は、前記シート部分（３）を後方下方へ勾配をつけた傾斜部を有する傾斜位置に調整し、且つ、前記シート部分（３）を戻すように調整し、そこにおいて、前記調整装置（２４）を、前記高さ調整装置（１２）から独立して作動できる歯科医療治療用椅子。
【請求項２】
シート部分（３）は、その後端部領域に配置されるジョイント軸の回りに上下に回動自在に取付けられることを特徴とする請求項１に記載の治療用椅子。
【請求項３】
前記調整装置（２４）は、キャリア部分（３４）を備え、前記キャリア部分（３４）は、水平と横方向に走るジョイント軸（３６）を有するジョイント（３６）により、前記高さ調整装置（１２）上に回動自在に取付けられ、且つ、前記シート部分（３）を保持することを特徴とする請求項１又は２に記載の治療用椅子。
【請求項４】
前記高さ調整装置（１２）は、４節平行四辺形レバー配置により形成されることを特徴とする請求項１乃至３の何れかに記載の治療用椅子。
【請求項５】
前記４節平行四辺形レバー配置は、キャリアフレーム（２）上に支承されることにより、前記治療用椅子の前方部位において互いに上下方向に配置される２つのジョイント（１４、１５）と、及び前記治療用椅子の後方部位において互いに上下方向に配置される２つのジョイント（３３、３６）とを有することを特徴とする請求項４に記載の治療用椅子。
【請求項６】
前記キャリア部分（３４）は、２つの前記後部部材ジョイント（３３、３６）の１つに、特に前記上部ジョイント（３６）に回動自在に取付けられることを特徴とする請求項４に記載の治療用椅子。
【請求項７】
前記調整装置（２４）には、前記キャリアフレーム（２）の後端部領域に配置されるレバー（３１）が設けられ、前記レバーは、水平と横方向に走るジョイント軸を有するジョイント（３２）により、前記キャリアフレーム（２）上に回動自在に取付けられることを特徴とする請求項１乃至６の何れかに記載の治療用椅子。
【請求項８】
前記ジョイント（３２）は、前記４節平行四辺形レバー配置の前記後部下方のジョイントにより形成されることを特徴とする請求項７に記載の治療用椅子。
【請求項９】
前記レバー（３１）は、ジョイント（３３）により前記キャリア部分（３４）に回動自在に接続され、前記ジョイントは、前記レバーを取付ける前記ジョイント（３２）と前記キャリア部分（３４）を取付ける前記ジョイント（３６）との間に配置されることを特徴とする請求項７又は８に記載の治療用椅子。
【請求項１０】
前記調整装置（２４）にはプッシュロッド（３８）が設けられ、前記ロッドは、前記シート部分（３）の下側を前方に延び、且つ、長手方向に変位自在に取付けられ、その前端部において、ジョイント（３９）により前記脚のせ部分（４）が回動自在に接続されることを特徴とする請求項１乃至９の何れかに記載の治療用椅子。
【請求項１１】
前記プッシュロッド（３８）には、その後端部領域において、ジョイントにより、前記レバー（３１）が回動自在に接続されることを特徴とする請求項１０に記載の治療用椅子。
【請求項１２】
前記シート部分（３）と前記プッシュロッド（３８）との間には、少なくとも１つのセクション又は複数のセクションにおいて傾斜するリンク溝（４８ａ）を有する接続リンクガイド（４８）が配置され、前記溝は、前記プッシュロッド（３８）が長手方向に変位すると、シート部分（３）の高さを調整することを特徴とする請求項１０又は１１に記載の治療用椅子。
【請求項１３】
前記シート部分（３）と前記背当て部分（７）との間に配置されるジョイント（８）が、円弧状ガイド（４５）により形成され、前記ガイド内において、前記背当て部分（７）を保持する円弧状セグメント（４４）が変位自在に案内されることを特徴とする請求項１乃至１２の何れかに記載の治療用椅子。
【請求項１４】
前記レバー（３１）には、その上端部においてジョイント（４１）により、接続ブラケット（４２）が回動自在に接続され、前記ブラケットには、ジョイント（４３）により、前記円弧状セグメント（４４）が回動自在に接続されることを特徴とする請求項１３に記載の治療用椅子。
【請求項１５】
前記レバー（３１）は、シート部分（３）の下方に好ましくは配置され、好ましくは細長い調整モータ（２５）により、前後に回動自在であることを特徴とする請求項１乃至１４の何れかに記載の治療用椅子。
【請求項１６】
キャリアフレーム（２）と、シート部分（３）と、前記シート部分（３）の前端部領域内で上下に回動自在に取付けられる脚のせ部分（４）と、前記シート部分（３）又は前記キャリアフレーム（２）の後端部領域内で上下に回動自在に取付けられる背当て部分（７）と、前記シート部分（３）の高さを調整する高さ調整装置（１２）とを有する治療用椅子（１）、特に歯科医療治療用椅子であって、前記シート部分（３）を、後方下方へ勾配をつけた傾斜部を有する傾斜位置に調整でき、また前記シート部分（３）の調整及び前記脚のせ部分（４）の回動のために、共通調整モータ（２５）が設けられ、前記モータは、前記シート部分（３）を前記傾斜位置に調整すると、前記脚のせ部分（４）を上方に回動する歯科医療治療用椅子。
【請求項１７】
前記背当て部分（７）も、前記調整モータ（２５）により上下に回動自在であることを特徴とする請求項１６に記載の治療用椅子。
【請求項１８】
キャリアフレーム（２）と、シート部分（３）と、前記シート部分（３）の前端部領域内で上下に回動自在に取付けられる脚のせ部分（４）と、前記シート部分（３）又は前記キャリアフレーム（２）の後端部領域内で上下に回動自在に取付けられる背当て部分（７）と、前記シート部分（３）の高さを調整する高さ調整装置（１２）とを有する治療用椅子（１）、特に歯科医療治療用椅子であって、前記シート部分（３）を、後方下方へ勾配をつけた傾斜部を有する傾斜位置に調整でき、また前記シート部分（３）の調整及び前記背当て部分（７）の回動のために、共通調整モータ（２５）が設けられ、前記モータは、前記シート部分（３）を前記傾斜位置に調整すると、前記背当て部分（７）を、その下部回動位置へ向けた方向に回動する歯科医療治療用椅子。
【請求項１９】
前記脚のせ部分（４）も、前記調整モータ（２５）により上下に回動自在であることを特徴とする請求項１８に記載の治療用椅子。
【請求項２０】
前記調整モータ（２５）は、前記脚のせ部分（４）上に変位自在に取付けられるフットレスト（６）も変位することを特徴とする請求項１８又は１９に記載の治療用椅子。
【発明の詳細な説明】
【背景技術】
【０００１】
当該型式の治療用椅子が、特許文献１に記載されている。この既知の治療用椅子は、シート部分を有する透析用椅子であり、その前端部において脚のせ部分が、上下に回動自在に取付けられ、及びその後方端部において背当て部分が、上下に回動自在に取付けられる。背当て部分と脚のせ部分をほぼ水平位置に容易に回動できるように、背当て部分と脚のせ部分は、シート部分の真下で係合する円弧状接続エレメントにより互いに接続され、その接続エレメントにより、背当て部分と脚のせ部分の強制的な同時移動が実施される。
【０００２】
例えば、種々の治療高さを設定できるために、高さ設定器具により、シート部分の高さを調整できるように治療用椅子を形成することも知られている。それにより、後方下方に勾配がつけられる傾斜部を有する傾斜位置にシート部分を設定することも知られている。
【０００３】
【特許文献１】独国特許出願公開第３４３８６１７号明細書
【発明の開示】
【発明が解決しようとする課題】
【０００４】
本発明の目的は、当該型式の治療用椅子をシート部分の傾斜の設定に関して改良することにある。この目的は、請求項１の構成部材により達成される。本発明の好都合な、更なる改良点は、従属請求項において示される。
【課題を解決するための手段】
【０００５】
請求項１に記載の本発明に従う治療用椅子の場合、高さ調整装置とシート部分との間に、調整装置が配置され、その調整装置は、シート部分を後方下方へ勾配をつけた傾斜部を有する傾斜位置に調整し、且つ、シート部分を戻すように調整し、そこにおいて、調整装置を、高さ調整装置とは関係なく設定できる。
【０００６】
この構成により、シート部分を、高さ調整装置とは関係なく、その傾斜に関して調整し、且つ、戻すことができる。高さ調整装置がシート部分を平行に調整する場合、高さ調整装置におけるシート部分の対応する傾斜を保持できる。
【０００７】
そのような高さ調整装置の場合、４節平行四辺形レバー配置が適応される。
【０００８】
本発明は更に、当該型式の治療用椅子を使用して、シート部分と脚のせ部分の傾斜調整性を改良するという目的を有する。
【０００９】
この目的は、請求項１６の構成部材により達成される。
【００１０】
請求項１６に記載の治療用椅子の場合、シート部分の調整及び脚のせ部分の回動のために、共通の調整モータが設けられ、そのモータは、シート部分をその傾斜位置に調整すると、前記脚のせ部分を、その上部位置へ向けた方向に回動する。
【００１１】
本発明は更に、当該型式の治療用椅子を使用して、シート部分と背当て部分の傾斜調整性を改良するという目的を有する。
【００１２】
この目的は、請求項１８の構成部材により達成される。本発明の好都合な改良点は、付随する従属請求項において示される。
【００１３】
請求項１８に記載の治療用椅子の場合、シート部分を、その傾斜位置への調整及び背当て部分の回動のために、共通の調整モータが設けられ、そのモータは、シート部分をその傾斜位置に調整すると、背当て部分を、下方へ向けた回動位置に調整する。
【００１４】
本発明に従う両方の解決策の場合、共通の調整モータが両方の当該調整を実施するので、単純な構造を達成するばかりではなく、共通の調整モータのために、調整は、患者にとり一層心地よい。というのは、患者と物理的な接触している２つの部分それぞれの場合に、調整が同時に実施されるからである。
【００１５】
更に従属請求項において、構造を更に単純化する構成部材が含まれ、それにより、小形であり、治療用椅子に空間的に好都合に組込むことができ、且つ、人体にとり単純で好都合な調整機能を患者のために確保できる構成がもたらされる。
【発明を実施するための最良の形態】
【００１６】
以下に、図面の複数の図を参照して、本発明の複数の好都合な構成を、より詳細に説明する。
【００１７】
全体が１で表示される治療用椅子が、治療用椅子１の長手方向において足端部１ｂの反対側に位置するヘッド端部１ａを有する。図２に示される治療用椅子１の垂直長手方向中間平面は、Ｅで表示される。
【００１８】
治療用椅子１の主要部材は、床上に配置できるキャリアフレーム２と、キャリアフレーム２の上部部位に配置されるシート部分３と、水平ジョイント軸５ａを有するジョイント５により、シート部分３の前端部領域内が上下に回動自在に接続される平坦な脚のせ部分４と、脚のせ部分４上に、その長手方向に変位自在に取付けられ、且つ、脚のせ部分４の自由端部を越えて外側に変位できる平坦なフットレスト６と、水平ジョイント軸８ａを有するジョイント８により、治療用椅子１が、又はそれに装着される部材が、上下に回動自在に取付けられる背当て部分７とである。
【００１９】
シート部分３、脚のせ部分４及び背当て部分７は、高さ調整装置１２により、キャリアフレーム２上に高さ調整自在に支承される椅子上部部分１１を形成し、その装置は、この代表的な実施態様において、上部と下部の平行四辺形レバー１３ａ、１３ｂを有するバーの平行リンク機構を有し、それらのレバーは、２つの前方の平行四辺形ジョイント１４、１５に取付けられ、それらのジョイントは、例えば、キャリアフレーム２の２つの側面垂直サポート壁１６間に上下に回動自在に互いに重ねて配置され、それらの壁の中で、図１においては、１つだけのサポート壁１６を見ることができる。平行四辺形レバー１３ａ、１３ｂの後端部は、２つの側面サポートで互いに重ねて配置される２つの後部ジョイント１７、１８に取付けられ、それらのサポートは、シート部分３へ向けて上方へ延び、且つ、シート部分の後端部領域を保持する。この４節平行四辺形のバーのリンク機構を、例えば、シート部分３の高さを設定するために、図示されない調整モータ、例えば、液圧シリンダ又は調整スピンドルにより、その上に支承される椅子上部部分１１で上下できる。
【００２０】
更に、シート部分３を、傾斜調整装置により、後方下方へ勾配をつけた傾斜位置に、上下に選択的に調整できる。この目的のために、調整装置２２を設けることができ、その装置は、好ましくは脚のせ部分４を上下に回動するためにも設けられる。シート部分と脚のせ部分４を同時に調整するために、特に共通の調整モータも設けられ、そのモータを以下で更に説明する。
【００２１】
１つの調整装置２３が、シート部分３と背当て部分７の調整に役立つように、シート部分３の傾斜調整を背当て部分７の調整と組合せることも好都合である。またこれらの２つの同時調整移動のために、共通の調整モータを設けることもできる。
【００２２】
この代表的な実施態様の場合に、シート部分３、脚のせ部分４及び背当て部分７の調整のために、全体が２４で表示される共通の調整装置が設けられ、その装置は、高さ調整機構１２により保持され、且つ、その機構上に配置されるので、高さ調整機構１２により設定されるそれぞれの高さ位置において、シート部分３を、好ましくは脚のせ部分４及び背当て部分７と同時に調整できるように、意図される傾斜位置に調整でき、及び共通の調整モータ２５の場合には、そのモータを使用して、シート部分３と脚のせ部分４、及び／又はシート部分３と背当て部分７を、シート部分３をその傾斜位置にして、調整できる。
【００２３】
この代表的な実施態様の場合に、椅子上部部分１１を、脚のせ部分４と背当て部分７が、シート部分３の傾斜調整に役割を果たし、且つ、同時に調整されるように、調整装置２４により、調整モータ２５で調整できる。これ以外は、調整装置２２及び／又は２３により、脚のせ部分４及び／又は背当て部分７を同時に調整できる。
【００２４】
調整装置２４には、レバー３１が設けられ、そのレバーは、治療用椅子１の横方向に広く延びる広いレバーの感じで形成され、且つ、そのレバーには、キャリアフレーム２の後方下側部位に配置されるジョイント３２により、平行四辺形レバー１３ｂが回動自在に接続され、それにより、ジョイント３２の水平横方向に延びるジョイント軸の周りの垂直長手方向中間平面Ｅにおいてキャリアフレーム２が回動自在に接続される。レバー３１は、ジョイント３２から上方へ延び、且つ、ジョイント３２から上方へ向けた間隔ａにおいて、そのジョイント軸へ平行に延びるジョイント軸を有するジョイント３３によりキャリア部分３４が回動自在に接続され、そのキャリア部分３４は、同様に広い部分として横方向に形成され、且つ、レバー３１を通して２つのキャリア側壁３４ａと係合できる。キャリア部分３４は、ジョイント３１、３２へ平行なジョイント軸を有するジョイント３６においてキャリアフレーム２と回動自在に接続され、且つ、このジョイントを通して、キャリアフレーム２上で支承される。この代表的な実施態様の場合に、キャリア部分３４には、ジョイント３６により、上部平行四辺形レバー１３ａの後端部領域に接続される。キャリア部分３４は、この部位を越えて、２つの横方向側壁３４ａが設けられ、それらの側壁は、上方と前方へ延び、且つ、シート部分３を保持する。ジョイント３２からジョイント３６の上方へ向けた間隔ｂは、ｂで表示される。
【００２５】
一方のジョイント１７、３６及び他方のジョイント１８、３２は、それぞれ同軸で配置される。
【００２６】
ジョイント３２から上方へ延びるレバー３１には、その上部領域において、同様に上述のジョイントへ平行なジョイント軸を有するジョイント３７により、プッシュロッド３８が回動自在に接続され、そのプッシュロッド３８は、シート部分３の真下を前方へ延び、且つ、その前端部において、ジョイント３９により、ジョイント軸５ａから間隔ｃの所で、脚のせ部分４に接続される。
【００２７】
レバー３１の上端部は、ジョイント４１により接続ブラケット４２に接続され、そのブラケット４２は、ジョイント４３により、円形の湾曲した形状の湾曲セグメント４４に接続され、そのセグメント４４は、ジョイント軸８ａの周りに湾曲され、且つ、対応する円弧ガイド４５、例えば、ローラガイド内に変位自在に取付けられる。湾曲セグメント４４とガイド４５は、ジョイント８を形成し、そのジョイント８により、背当て部分７が、椅子上部部分１１上に取付けられる。ガイド４５は、付随するキャリア部分側壁３４ａ上に配置される。
【００２８】
調整モータ２５は、細長い構成部材であり、例えば、調整ロッド２５ａを有する、液圧シリンダ又はスピンドルモータにより形成される。この代表的な実施態様の場合に、細長い調整モータ２５は、その前端部において、ジョイント４６により、キャリア部分３４の前端部領域に回動自在に接続される。調整モータ２５の後端部は、ジョイント４７によりレバー３１に垂直に回動自在に接続され、そのジョイント４７は、例えば、そのレバーの中間高さ部位に配置される。この代表的な実施態様の場合に、調整モータ２５は、プッシュロッド３８の下方に位置決めされる。これにより、これら２つの部材は、互いに横方向に偏り配置されることができる。この代表的な実施態様において、プッシュロッド３８は中央に配置される一方、調整モータ２５は、横方向に偏り配置される。
【００２９】
プッシュロッド３８と脚のせ部分４との間にあるジョイント３９は好ましくは、摺動キャリッジ５１上に配置され、そのキャリッジ５１は、長手方向に向けられるガイド５２内で脚のせ部分４に変位自在に取付けられ、フットレスト６が接続されるので、摺動キャリッジ５１が前方又は後方へ変位すると、フットレスト６は外方又は内方へ押される。
【００３０】
以下に、シート部分３の後方下方に勾配をつけた傾斜部を設定する調整装置２４の機能を説明する。
【００３１】
治療用椅子１は、図１に記載のその位置において、着座位置に位置決めされ、そこにおいて、脚サポート４が下方に回動され、背当て部分７が上方へ回動され、及び患者が、治療用椅子１に座る。この着座位置においてシート部分３は、その最低位置に位置決めされ、その位置において、その部分は、例えば、ほぼ水平に延びる。調整モータ２５は、その伸張した位置にある。
【００３２】
この位置において、調整装置２５が起動されるか、又はレバー３１がジョイント３２において前方へ回動されるならば、レバー３１は、キャリア部分３４を、それらの間に位置決めされるジョイント３３により、ジョイント３６の回りに反時計方向に回す。これを通して、キャリア部分３４と椅子上部部分１１が、後方に回動され、それを通して、キャリア部分３４は後方下方へ勾配をつけた傾斜位置になる。図３には、そのような中間位置が示され、その位置において、脚サポートは幾分上方に、例えば、約４５°だけ回動され、フットレスト６は、ある程度まで、例えば、伸張距離の約半分又は、それ以上の距離だけ押出され、そして、背当て部分７は、幾分下方に回動される。
【００３３】
図５には、シート部分３又は椅子上部部分１１の、更に上に回動された傾斜位置が示され、その位置において、脚のせ部分４は、外側に、例えば、約６０°だけ更に回動され、フットレスト６は、更に外側に押出され、好ましくは完全に伸張され、及び背当て部分７は、更なる角度量だけ下方に回動される。
【００３４】
図７に記載の治療位置において、シート部分３は、図１に記載のその開始位置で、又は水平位置で、約１０°乃至２０°、特に約１５°乃至１６°の角傾斜Ｗを含み、それにより、脚のせ部分４は、その上方に回動される位置に位置決めされ、その位置において、脚のせ部分４が幾分前方に回動され、及び背当て部分が、その下方に回動される端部位置にあり、その位置において背当て部分７は、例えば、ほぼ水平に延びることができる。Ｋにより、ヘッドサポートＫが表示され、そのサポートは、背当て部分７の自由端部と接続され、且つ、その端部上に支承される。
【００３５】
フットレスト６用の伸張機構を、その機構が、その伸張距離の第１の部位においては急速に伸張し、その伸張距離の残りの部位においては低速で伸張するように、構成することが好都合である。それは、フットレスト６が、その伸張距離の最初の２／３の部位において急速に伸張し、ついで低速で伸張するときに特に好都合である。これを通して、患者の足は、傾斜位置に回動されると、最初は急速に支承される。更に、それにより、患者が、その足に最小の伸張の動きだけを感じるようにすることができる。
【００３６】
かくして、プッシュロッド３８の前方端部領域において、且つ、そのロッド３８とシート部分３との間に、接続リンクガイド４８を設けることが好都合であり、そのガイドは、プッシュロッド３８が前方に移動すると、シート部分３からのプッシュロッド３８の間隔を増加する。プッシュロッド３８内には、側面に開放するリンク溝４８ａが設けられ、その溝内に、リンク摺動部材４８ｂが、変位自在に取付けられ、その摺動部材は、シート部分３から下方へ突出るブラケット４８ｃ上に回転自在に取付けられる。接続リンクガイド４８は、その前方領域において前方と下方に傾斜する一方、接続リンクガイド４８から後方へ延びる、ガイド４８の大きい長手方向セクションは、シート部分３へほぼ平行に、又は水平に延びることができる。
【００３７】
この代表的な実施態様の場合に、プッシュロッド３８は、その前端部領域において、頂部形状部が形成されるか、又は上方へ曲げられる。
【００３８】
摺動キャリッジ５１とフットレスト６との間に、プッシュロッド３８の比較的短い伸張距離で、フットレスト６の長い伸張距離を達成するために、段階的移動伝達部５３が配置される。段階的移動伝達部５３を、伸張移動の第１の部位において、比較的大きい伸張速度を発生し、またそれより先の端部領域において、その伸張移動を減少するように構成することもできる。
【００３９】
上述の段階的移動伝達部を、移動を段階的に増加し、且つ、摺動キャリッジ５１とフットレスト６との間に配置されるレバーバー器具により形成できる。この代表的な実施態様の場合に、２つの単一のアーム付きレバー５４、５５が、それらの外端部に、それぞれの場合に、相互に対向して位置する外側領域におけるジョイント５４ａ、５５ａにより、フットレスト６の下方の脚のせ部分４に装着されるキャリア壁５６上に回動自在に取付けられる。これらの横方向外側のジョイント５４ａ、５５ａから、レバー５４、５５が中間へ向けて延びるので、それらのレバーが重なり、また下部レバー５４は、摺動キャリッジ５１を越えて延び、その中間領域において、接続リンクガイド５７により、摺動キャリッジ５１へ接続され、及びジョイント５４ａから離れたその端部領域において、接続リンクガイド５８により、他方のレバー５５の中間部位へ接続される。後者のレバー５５は、フットレスト６の中間まで延び、また、例えば、その中間部位において、第３の接続リンクガイド５９により、ガイドプレートへ接続され、そのプレートは、フットレスト６が接続されるか、又はそれにより形成される。これにより、第１のレバー５４は、フットレスト６のほぼ横方向に延びる一方、第２のレバー５５は、後方へ斜めに延びる。
【００４０】
接続リンクガイド５７、５８、５９は、それぞれの場合に、細長い孔６２、６３、６４により、レバー５４、５５において、且つ、ガイドプレートにおいて形成され、そこにおいて、それぞれの場合に好ましくはローラにより形成される接続リンクキャリッジ６５、６６、６７が移動自在に取付けられる。第１のレバー５４における長手方向孔６２は、第１の横方向へ向けられるセクションと、及びそのセクション上に隣接する、ジョイント５４ａから離れて側面へ向けて斜めであり、且つ、前方へ延びるセクションとを有する角度形状部内で延びる。第２のレバー５５内の細長い孔６３、及びガイドプレート内の孔６４は、それぞれの場合に、長手方向中間平面Ｅの好ましくは横方向に延びる。
【００４１】
摺動キャリッジ５１が前方へ移動すると、第１のレバー５４は、前方へ回動されるので、ジョイント５４ａからの接続リンクガイド５７、５８の間隔により予め決められる段階的移動伝達により、そのレバーは、第２のレバー５５を段階的に増加する仕方で前方へ回動する。更なる段階的移動伝達が、接続リンクガイド５８、５９の異なる間隔により、第２のレバー５５とガイドプレートとの間に生じる。
【００４２】
平坦なプレートの形態でレバー５４、５５を有する上述の段階的移動伝達部５３は、低輪郭構造と良好で長期の機能遂行とを有する接続リンクガイド５７、５８、５９の配置を可能にする。
【図面の簡単な説明】
【００４３】
【図１】着座位置における本発明に従う歯科医療治療用椅子の側面図であり、そこにおいて、側壁は図示されない。
【図２】治療用椅子を正面から見た図であり、そこにおいて、脚のせ部分が、部分的に切取られて図示される。
【図３】治療位置へ向けた方向に調整される中間位置における治療用椅子の側面図である。
【図４】図３に記載される治療用椅子を正面から見た図である。
【図５】治療位置へ向けて更に調整される中間位置における治療用椅子の図である。
【図６】図５の治療用椅子を正面から見た図である。
【図７】治療位置における治療用椅子の側面図である。
【図８】図７に記載される治療用椅子の脚のせ部分を上から見た図である。
【符号の説明】
【００４４】
１  治療用椅子
２  キャリアフレーム
３  シート部分
４  脚のせ部分
６  フットレスト
７  背当て部分
８  ジョイント
１２  高さ調整装置
１４  ジョイント
１５  ジョイント
２４  調整装置
２５  調整モータ
３１  レバー
３２  ジョイント
３３  後部ジョイント
３４  キャリア部分
３６  後部ジョイント
３８  プッシュロッド
３９  ジョイント
４１  ジョイント
４２  接続ブラケット
４３  ジョイント
４４  円弧セグメント
４５  円弧状ガイド
４８  接続リンクガイド
４８ａ  リンク溝
【図１】
2006122688.tif 000003
【図２】
2006122688.tif 000004
【図３】
2006122688.tif 000005
【図４】
2006122688.tif 000006
【図５】
2006122688.tif 000007
【図６】
2006122688.tif 000008
【図７】
2006122688.tif 000009
【図８】
2006122688.tif 000010
【外国語明細書】
2006122688000001.pdf